(57)【要約】【課題】ゴミを投入しやすい透明なゴミ箱を提供すること。【解決手段】断面長方形の筒状の胴部５と胴部５下縁に一体形成された底部４からなる透明な容器本体２と、表裏に連通するゴミ投入穴９が形成された天板７と天板７の周縁を包囲する縁部８とから構成され容器本体２の上部開口部に嵌合されて容器本体２を封塞する透明な蓋３とを有するゴミ箱において、蓋３の天板７の表面であってゴミ投入穴９の周囲の裏面側にシルク印刷による印刷面１０を形成するようにしたこと。これによって容器本体２内を外部から目視可能となるとともにゴミの投入がしやすくなる。【選択図】      図１
0003120936.tif 000002
【実用新案登録請求の範囲】
【請求項１】
筒状の胴部と同胴部下縁に一体形成された底部からなる透明な容器本体と、表裏に連通するゴミ投入用の投入穴が形成された上板部と同上板部の周縁を包囲する包囲部とから構成され同容器本体の上部開口部に嵌合されて同容器本体を封塞する透明な蓋体とを有し、同蓋体の上板部の表面であって前記投入穴の周囲にはシルク印刷による印刷面が形成されていることを特徴とするゴミ箱。
【請求項２】
前記印刷面は前記上板部の裏面側に形成されていることを特徴とする請求項１に記載のゴミ箱。
【請求項３】
前記印刷面には前記上板部の上面側から目視されることを前提とした文字、図形等が含まれていることを特徴とする請求項１又は２に記載のゴミ箱。
【考案の詳細な説明】
【技術分野】
【０００１】
本考案はゴミ箱に関するものである。
【背景技術】
【０００２】
従来のゴミ箱はなるべくゴミを見せないように不透明な容器であった。しかし、ゴミの量が一目瞭然にわかるため容器は透明であるほうが便利である。また、昨今のゴミをなるべく出さないで減らすという風潮からかえって透明なゴミ箱のほうがむやみにゴミを出さなくなるという傾向もある。ゴミ箱に関する先行技術は多いがその一例を技術文献１に示す。
【特許文献１】特開平５−０８９３０３号公報
【考案の開示】
【考案が解決しようとする課題】
【０００３】
しかし、透明であるとゴミ箱の輪郭が背景と混ざって分かりにくくなるためゴミの投入穴も一見すると分かりにくく、ゴミを投入しようとして一瞬戸惑うことがある。
本考案は、このような従来の技術に存在する問題点に着目してなされたものである。その主目的とするところは、ゴミを投入しやすい透明なゴミ箱を提供することにある。
【課題を解決するための手段】
【０００４】
上記の目的を達成するための第１の手段として、筒状の胴部と同胴部下縁に一体形成された底部からなる透明な容器本体と、表裏に連通するゴミ投入用の投入穴が形成された上板部と同上板部の周縁を包囲する包囲部とから構成され同容器本体の上部開口部に嵌合されて同容器本体を封塞する透明な蓋体とを有し、同蓋体の上板部の表面であって前記投入穴の周囲にはシルク印刷による印刷面が形成されていることをその要旨とする。
このような構成とすると、容器本体は透明であるため、ゴミ箱として従来にない斬新なイメージを与え購買意欲を喚起する。なおかつ投入されたゴミがはっきりと目視できるのでゴミの溜まっていく過程がよくわかり、結果として無駄なゴミを減らすことに貢献できる。また、ゴミを外部から目視できるので本来捨ててはいけないような物（重要書類等）が混じっていた場合や、爆発物のような危険物が捨てられている場合にはこれを発見しやすくなり万一の事態にも対処しやすくなる。また透明であればそもそも危険物を仕掛けること自体が躊躇されることとなって結果的に爆発物を使用したテロのような犯罪の抑止効果が期待できる。
そして、ゴミを投入する投入穴が形成された蓋体の上板部にはシルク印刷による印刷面が形成されているため、投入穴が背景に溶け込むことなく目視しやくすなっているたため、初めてこのゴミ箱を利用する人にとっても戸惑うことがない。更に、所望のシルク印刷によって投入穴周囲に文字や図形を容易に配置することができるので、様々なスローガンや公告宣伝の文句を印刷してゴミ投入時にこれらを読ませることが可能となる。
ここに、「透明」とは無色透明だけを意味するのではなく、着色されている場合や半透明の場合も含む概念である。また、材質は透明であれば特に限定されるものではない。また、印刷面は上板部全面に形成される必要はない。
【０００５】
第２の手段では第１の手段に加え、前記印刷面は前記上板部の裏面側に形成されていることをその要旨とする。
この構成によって、蓋体の上板部に形成した印刷面が傷つくおそれがなくなる。例えば印刷面が上面（表面）側に形成されているとすると拭き掃除によってあるいはごみ投入時にゴミが投入穴周囲に当たって剥がれてしまう等の可能性があるが、そのようなおそれがなくなる。
第３の手段では第１又は２の手段に加え、前記印刷面には前記上板部の上面側から目視されることを前提とした文字、図形等が含まれていることをその要旨とする。
【考案の効果】
【０００６】
上記各請求項の考案では、容器本体は透明であるため、投入されたゴミがはっきりと目視できるのでゴミの溜まっていく過程がよくわかり、結果として無駄なゴミを減らすことに貢献できる。また、ゴミを外部から目視できるので本来捨ててはいけないような物（重要書類等）が混じっていた場合や、爆発物のような危険物が捨てられている場合にはこれを発見しやすくなり万一の事態にも対処しやすくなる。また透明であればそもそも危険物を仕掛けること自体が躊躇されることとなって結果的に爆発物を使用したテロのような犯罪の抑止効果が期待できる。
また、ゴミを投入する投入穴が形成された蓋体の上板部にはシルク印刷による印刷面が形成されているため、投入穴が背景に溶け込むことなく目視しやくすなっているたため、初めてこのゴミ箱を利用する人にとっても戸惑うことがない。更に、所望のシルク印刷によって投入穴周囲に文字や図形を容易に配置することができるので、様々なスローガンや公告宣伝の文句を印刷してゴミ投入時にこれらを読ませることが可能となる。
【考案を実施するための最良の形態】
【０００７】
以下、本考案におけるゴミ箱を具体化した実施の形態を図面に基づいて説明する。
図１及び図２に示すように、ゴミ箱１は容器本体２と同本体２の上部に嵌合される蓋３とより構成されている。容器本体２は長方形形状の底部４と底部４外周から立ち上がる筒状の胴部５を備えている。本実施の形態では胴部５の横断面は同一形状であるが例えば上方側を徐々に拡開させるような筒状に構成するようにしてもよい。底部４の裏面の四隅寄りにはそれぞれ底部４を設置面から離間させるための突起６が形成されている。本実施の形態では本体２は透明なアクリル樹脂によって構成されている。
蓋３は平面形状長方形形状の天板７と同天板７の周囲に同天板７の板面と直交する方向に延出される帯状の縁部８を備えている。蓋３は嵌合された状態で天板７の縁部８に隣接した位置で容器本体２の上縁によって支持されている。本実施の形態では蓋３は透明なアクリル樹脂によって構成されている。天板６には楕円形状のゴミ投入穴９が形成されている。ゴミ投入穴９の長径は蓋３の長手方向と平行に配置されている。天板６の裏面にはシルク印刷による印刷面１０が形成されており、天板７の表面側から天板７を透して目視可能とされている。尚、図２においては図示の都合上印刷面１０は実際よりも厚めに描かれている。
【０００８】
このような構成では、蓋３の天板７はゴミを捨てる際に印刷面１０が形成されているためゴミ投入穴９が背景と混ざらずに一見して分かるためにゴミ箱１が全体としてはほとんど透明に構成されていてもゴミの投入に戸惑うことはない。また、投入されたゴミは透明な胴部５を透して目視できるためゴミの溜まっていく過程がよくわかり、どのくらいゴミが溜まったかが容易に把握できる。そのため、むやみにゴミを出さないよう心がけるようになって、結果として無駄なゴミを減らすことに貢献できる。
また、ゴミを胴部５を通して外部から目視できるので本来捨ててはいけないような物（重要書類等）が混じっていた場合や、爆発物のような危険物が捨てられている場合にはこれを発見しやすくなり万一の事態にも対処しやすくなる。また透明であるためそもそも危険物を仕掛けること自体が躊躇されることとなって結果的に爆発物を使用したテロのような犯罪の抑止効果が期待できる。
更に、所望のシルク印刷によって印刷面１０を作成すれば、様々なスローガンや公告宣伝の文句を印刷してゴミを捨てる際にこれらを読ませることが可能となる。
また、印刷面１０は天板７の裏面に形成されているため、印刷面１０が傷つくおそれがなくなる。
【０００９】
その他、本発明は以下のような態様で変更して実施することも可能である。
・ゴミ箱の形状は上記実施の形態に限定されるものではない。
・ゴミ投入穴９の形状も上記は一例であって特に限定されることはない。
・アクリル以外の透明素材（硬質ガラス、ポリカーボネート、ポリプロピレン等のプラスチック）で構成することも可能である。
・顔料で一部あるいは全部着色されていても構わない。
その他、本考案の趣旨を逸脱しない範囲で変更して実施することは自由である。
【図面の簡単な説明】
【００１０】
【図１】本考案の実施の形態のゴミ箱の斜視図。
【図２】同じゴミ箱の縦断面図。
【符号の説明】
【００１１】
１…ゴミ箱、２…容器本体、３…蓋体としての蓋、５…胴部、７…上板部としての天板、８…包囲部としての縁部、９…ゴミ投入穴、１０…印刷面。
【図１】
0003120936.tif 000003
【図２】
0003120936.tif 000004